(57)【特許請求の範囲】
【請求項１】
個人の両眼（ＯＤ、ＯＧ）の屈折特性の少なくとも１つを自動的に測定する方法であって、
ａ）各々の捕捉された画像を該画像を表す信号に変換するようになっている画像捕捉装置（１０）に関連付けられた参照枠（Ｏ、Ｘ、Ｙ、Ｚ）内において、前記個人の要望にしたがって、該個人の頭部の少なくとも１つの姿勢を調整する段階と、
ｂ）前記画像捕捉装置（１０）に関連付けられた前記参照枠（Ｏ、Ｘ、Ｙ、Ｚ）内の既知の位置の少なくとも１つの光源（２０）によって両眼（ＯＤ、ＯＧ）を照明する段階と、
ｃ）前記個人の頭部に関連付けられた参照枠内において、前記個人の注視方向に関連付けられた少なくとも１つの注視方向パラメータを測定する段階と、
ｄ）前記段階ｃ）において測定された前記注視方向パラメータに対応する、前記個人の両眼（ＯＤ、ＯＧ）の網膜上での前記光源（２０）の網膜反射の少なくとも１つの画像（ＩＲＯＤ１、ＩＲＯＧ１、ＩＲＯＤ２、ＩＲＯＧ２）を捕捉するために前記画像捕捉装置（１０）を使用する段階と、
ｆ）前記段階ｄ）において捕捉された前記少なくとも１つの画像から、前記個人の眼（ＯＤ、ＯＧ）の各々について前記屈折特性（Ｄ）を決定する段階と、
ｈ）前記決定された屈折特性に関連して、前記段階ｄ）の画像捕捉中に測定された前記個人の注視方向に関連付けられた前記注視方向パラメータを記憶する段階
とを含み、
前記段階ｃ）において、前記頭部の以下の姿勢パラメータ（Ｈ、ＡＨＤ、ＡＨＧ、ＡＶＤ、ＡＶＧ）、すなわち、
・前記画像捕捉装置（１０）の瞳と、前記個人が自然な姿勢の状態にあり且つ前記画像捕捉装置に眼を向けているときに傾斜している前記個人の解剖学的平面（ＰＦＩ）との間の垂直距離（Ｈ）であって、前記解剖学的平面は、前記個人が自然な姿勢の状態にあり且つ水平に見ているときにほぼ水平である水平解剖学的平面（ＰＦＨ）に相当する、垂直距離（Ｈ）と、
・前記画像捕捉装置（１０）の瞳と、前記個人が自然な姿勢の状態にあり且つ水平に見ているときにほぼ水平である前記水平解剖学的平面（ＰＦＨ）との間の距離と、
・第１の参照平面（ＰＲＥＦＤ１、ＰＲＥＦＧ１）の水平軸線（Ｘ’）に対して垂直な平面内における、該第１の参照平面（ＰＲＥＦＤ１、ＰＲＥＦＧ１）に対する画像捕捉平面（ＰＣＩ）の第１の傾斜角度（ＡＶＤ、ＡＶＧ）であって、前記第１の参照平面（ＰＲＥＦＤ１、ＰＲＥＦＧ１）は、前記画像捕捉装置（１０）の瞳に前記個人の一方の眼（ＯＤ、ＯＧ）を接続する線に対して垂直であり、前記画像捕捉平面（ＰＣＩ）と前記水平軸線（Ｘ’）に対して垂直な前記平面との間の交差部分によって画定される線と、前記参照平面（ＰＲＥＦＤ１、ＰＲＥＦＧ１）と前記水平軸線（Ｘ’）に対して垂直な前記平面との間の交差部分によって画定される線との間に存在する角度に相当する第１の傾斜角度（ＡＶＤ、ＡＶＧ）と、
・前記水平軸線（Ｘ’）に対して垂直な前記第１の参照平面（ＰＲＥＦＤ１、ＰＲＥＦＧ１）の軸線（Ｙ）に対して垂直な平面内における、前記第１の参照平面（ＰＲＥＦＤ１、ＰＲＥＦＧ１）に対する前記画像捕捉平面（ＰＣＩ）の第２の傾斜角度（ＡＨＤ、ＡＨＧ）であって、前記画像捕捉平面（ＰＣＩ）と前記軸線（Ｙ）に対して垂直な前記平面との間の交差部分によって画定される線と、前記参照平面（ＰＲＥＦＤ１、ＰＲＥＦＧ１）と前記軸線（Ｙ）に対して垂直な前記平面との間の交差部分によって画定される線との間の、前記軸線（Ｙ）に対して垂直な前記平面内に存在する角度に相当する第２の傾斜角度（ＡＨＤ、ＡＨＧ）と
のうちの少なくとも１つが測定される、方法。
【請求項２】
予め規定された視力条件の下、個人の両眼（ＯＤ、ＯＧ）の屈折特性の少なくとも１つを自動的に測定する方法であって、
ａ）各々の捕捉された画像を該画像を表す信号に変換するようになっている画像捕捉装置（１０）に関連付けられた参照枠（Ｏ、Ｘ、Ｙ、Ｚ）内において、前記個人の要望にしたがって、該個人の頭部の少なくとも１つの姿勢を調整する段階と、
ｂ）前記画像捕捉装置（１０）に関連付けられた前記参照枠（Ｏ、Ｘ、Ｙ、Ｚ）内の既知の位置の少なくとも１つの光源（２０）によって両眼（ＯＤ、ＯＧ）を照明する段階と、
ｃ）前記個人の頭部に関連付けられた参照枠内において、前記個人の注視方向に関連付けられた少なくとも１つの注視方向パラメータを測定する段階と、
ｉ）前記段階ｃ）において測定された前記注視方向パラメータを、前記予め規定された視力条件に対応する所定の範囲内の値と比較し、前記段階ｃ）において測定された前記注視方向パラメータの値が前記予め規定された視力条件に相当する前記範囲内にある場合、前記個人の両眼（ＯＤ、ＯＧ）の網膜上の前記光源（２０）の網膜反射の少なくとも１つの画像（ＩＲＯＤ１、ＩＲＯＧ１、ＩＲＯＤ２、ＩＲＯＧ２）の前記画像捕捉装置（１０）による捕捉を起動し、前記画像が画像捕捉平面（ＰＣＩ）内で捕捉される、段階と、
ｊ）前記予め規定された視力条件において前記個人の眼（ＯＤ、ＯＧ）の各々の前記屈折特性（Ｄ）を前記少なくとも１つの捕捉画像から決定する段階
とを含み、
前記段階ｃ）において、前記頭部の以下の姿勢パラメータ（Ｈ、ＡＨＤ、ＡＨＧ、ＡＶＤ、ＡＶＧ）、すなわち、
・前記画像捕捉装置（１０）の瞳と、前記個人が自然な姿勢の状態にあり且つ前記画像捕捉装置に眼を向けているときに傾斜している前記個人の解剖学的平面（ＰＦＩ）との間の垂直距離（Ｈ）であって、前記解剖学的平面は、前記個人が自然な姿勢の状態にあり且つ水平に見ているときにほぼ水平である水平解剖学的平面（ＰＦＨ）に相当する、垂直距離（Ｈ）と、
・前記画像捕捉装置（１０）の瞳と、前記個人が自然な姿勢の状態にあり且つ水平に見ている時にほぼ水平である前記水平解剖学的平面（ＰＦＨ）との間の距離と、
・第１の参照平面（ＰＲＥＦＤ１、ＰＲＥＦＧ１）の水平軸線（Ｘ’）に対して垂直な平面内における、該第１の参照平面（ＰＲＥＦＤ１、ＰＲＥＦＧ１）に対する前記画像捕捉平面（ＰＣＩ）の第１の傾斜角度（ＡＶＤ、ＡＶＧ）であって、前記第１の参照平面（ＰＲＥＦＤ１、ＰＲＥＦＧ１）は、前記画像捕捉装置（１０）の瞳に前記個人の一方の眼（ＯＤ、ＯＧ）を接続する線に対して垂直であり、前記画像捕捉平面（ＰＣＩ）と前記水平軸線（Ｘ’）に対して垂直な前記平面との間の交差部分によって画定される線と、前記参照平面（ＰＲＥＦＤ１、ＰＲＥＦＧ１）と前記水平軸線（Ｘ’）に対して垂直な前記平面との間の交差部分によって画定される線との間に存在する角度に相当する第１の傾斜角度（ＡＶＤ、ＡＶＧ）と、
・前記水平軸線（Ｘ’）に対して垂直な前記第１の参照平面（ＰＲＥＦＤ１、ＰＲＥＦＧ１）の軸線（Ｙ）に対して垂直な平面内における、前記第１の参照平面（ＰＲＥＦＤ１、ＰＲＥＦＧ１）に対する前記画像捕捉平面（ＰＣＩ）の第２の傾斜角度（ＡＨＤ、ＡＨＧ）であって、前記画像捕捉平面（ＰＣＩ）と前記軸線（Ｙ）に対して垂直な前記平面との間の交差部分によって画定される線と、前記参照平面（ＰＲＥＦＤ１、ＰＲＥＦＧ１）と前記軸線（Ｙ）に対して垂直な前記平面との間の交差部分によって画定される線との間において、前記軸線（Ｙ）に対して垂直な前記平面内に存在する角度に相当する第２の傾斜角度（ＡＨＤ、ＡＨＧ）と
のうちの少なくとも１つが測定される、方法。
【請求項３】
ｅ）前記光源（２０）の網膜反射の画像（ＩＲＯＤ１、ＩＲＯＧ１、ＩＲＯＤ２、ＩＲＯＧ２）の幅又は輝度分布を前記少なくとも１つの捕捉画像から決定し、前記幅又は前記輝度分布の関数として前記個人の眼（ＯＤ、ＯＧ）の各々の前記屈折特性（Ｄ）を決定する段階
をさらに含む、請求項１又は２に記載の方法。
【請求項４】
両眼（ＯＤ、ＯＧ）が同時に照明され、両眼（ＯＤ、ＯＧ）の網膜上の前記光源（２０）の網膜反射の画像が同時に捕捉され、段階ｅ）において、前記光源（２０）の網膜反射の画像（ＩＲＯＤ１、ＩＲＯＧ１、ＩＲＯＤ２、ＩＲＯＧ２）の前記幅又は前記輝度分布は、少なくとも前記光源（２０）に対する前記個人の頭部の前記姿勢において同時に捕捉される両眼（ＯＤ、ＯＧ）の網膜反射に関係する前記信号から決定される、請求項３に記載の方法。
【請求項５】
前記光源（２０）の網膜反射の画像（ＩＲＯＤ１、ＩＲＯＧ１、ＩＲＯＤ２、ＩＲＯＧ２）の前記幅（Ｌ）又は前記輝度分布から、前記個人の眼（ＯＤ、ＯＧ）の各々の屈折異常についての値が推定される、請求項４に記載の方法。
【請求項６】
前記個人の２つの眼（ＯＤ、ＯＧ）の各々の網膜上の前記光源（２０）の前記網膜反射の少なくとも２つの画像（ＩＲＯＤ１、ＩＲＯＧ１、ＩＲＯＤ２、ＩＲＯＧ２）が捕捉され、当該方法は、
ｅ’）前記少なくとも２つの捕捉画像から、前記光源（２０）の前記網膜反射の画像（ＩＲＯＤ１、ＩＲＯＧ１、ＩＲＯＤ２、ＩＲＯＧ２）の移動を決定する段階
を更に含み、
前記個人の眼（ＯＤ、ＯＧ）の各々の前記屈折特性（Ｄ）は前記移動の関数として決定される、請求項１又は２に記載の方法。
【請求項７】
前記２つの画像捕捉中に、異なる前記光源（２０）に対する前記個人の頭部の姿勢について、
段階ｃ）において、前記２つの画像捕捉中に、前記個人の頭部の少なくとも１つの姿勢パラメータ（ＡＨＤ、ＡＨＧ、ＡＶＤ、ＡＶＧ）が前記画像捕捉装置（１０）の前記参照枠（Ｏ、Ｘ、Ｙ、Ｚ）内において測定され、
段階ｅ’）において、前記決定された網膜反射の画像の前記移動が、段階ｃ）において測定された前記頭部姿勢パラメータ（ＡＨＤ、ＡＨＧ、ＡＶＤ、ＡＶＧ）の関数として、前記２つの画像捕捉の間の前記光源（２０）に対する前記個人の頭部の姿勢の相違と比較され、
前記個人の眼（ＯＤ、ＯＧ）の各々の屈折特性（Ｄ）は前記比較から推定される、請求項６に記載の方法。
【請求項８】
前記個人の眼（ＯＤ、ＯＧ）の各々の屈折異常の符号が前記比較から推定される、請求項７に記載の方法。
【請求項９】
両眼（ＯＤ、ＯＧ）が同時に照明され、両眼（ＯＤ、ＯＧ）の網膜上の前記光源（２０）の網膜反射の画像が同時に捕捉され、段階ｅ’）において、前記光源（２０）の網膜反射の画像（ＩＲＯＤ１、ＩＲＯＧ１、ＩＲＯＤ２、ＩＲＯＧ２）の前記移動が、少なくとも前記光源（２０）に対する前記個人の頭部の各々の姿勢において同時に捕捉される両眼（ＯＤ、ＯＧ）の前記網膜反射に関係する前記信号から決定される、請求項６に記載の方法。
【請求項１０】
画像捕捉の間、前記光源（２０）と前記画像捕捉装置（１０）とが上に取り付けられている支持体（３０）が、前記個人によって手で保持される、請求項１又は２に記載の方法。
【請求項１１】
前記個人が、前記画像捕捉装置（１０）の瞳（１１）の付近を見つめている間、すなわち、前記瞳の付近の定められた区域内を見ている間に、前記少なくとも１つの画像が捕捉されることを検証するための、前記画像捕捉段階の前又は後の検証段階を含む、請求項１又は２に記載の方法。
【請求項１２】
前記注視方向パラメータは、個人が前記画像捕捉装置の瞳を注視している間に測定される前記個人の頭部の姿勢パラメータ（Ｈ）からなる、請求項１又は２に記載の方法。
【請求項１３】
少なくとも１つの画像を捕捉する前の準備段階中に、視力矯正機器が前記個人の顔の上に配置され、前記捕捉画像を表す前記信号及び／又は該信号から推定された前記屈折特性が前記視力矯正機器の屈折力と偏角との関数として矯正される、請求項３に記載の方法。
【請求項１４】
少なくとも一つの画像を捕捉する前の準備段階中に、視力矯正機器が上記個人の顔の上に配置され、前記捕捉画像を表す前記信号及び／又は該信号から推定された屈折特性が前記視力矯正機器の屈折力と偏角との関数として矯正される、請求項６に記載の方法。
【請求項１５】
前記段階ｃ）において、前記個人の注視方向（ＤＶＤ、ＤＶＧ）は、両眼（ＯＤ、ＯＧ）の角膜反射の画像を表している信号から計算される、請求項１又は２に記載の方法。
【請求項１６】
ｒ）少なくとも１つの画像の捕捉の前又は最中に、前記個人の眼の前に参照画像を表示し、該参照画像は、該参照画像の空間周波数をフィルタリングするための特定のカットオフの周波数フィルタによるローパスフィルタリングに相当する不鮮明性を表す段階と、
ｔ）前記参照画像をフィルタリングするために前記段階ｒ）において使用された前記ローパスフィルタのカットオフ周波数の値に関連して決定された前記屈折特性を記憶装置内に記憶する段階と、
ｕ）前記参照画像フィルタの様々なカットオフ周波数に関して、少なくとも段階ｂ）、ｃ）、ｄ）、ｆ）、ｒ）及びｔ）、又は、段階ｂ）、ｃ）、ｉ）、ｊ）、ｒ）及びｔ）を繰り返す段階
とを含む、請求項１又は２に記載の方法。
【請求項１７】
・前記画像捕捉段階中に、少なくとも２つの画像が連続的に捕捉され、該２つの画像の各々は、前記個人の両眼の網膜上の前記光源の２つの網膜反射の画像に相当し、
・前記２つの画像の一方から前記個人の２つの眼の一方の前記屈折特性を決定し、且つ、他方の画像から前記個人の他方の眼の屈折特性を決定する、
請求項１又は２に記載の方法。
【請求項１８】
個人の両眼（ＯＤ、ＯＧ）の屈折特性の少なくとも１つを自動的に測定するための装置であって、
・支持体（３０）と、
・前記個人の眼（ＯＤ、ＯＧ）の少なくとも一方の眼を照明するような態様において前記支持体（３０）上に取り付けられている少なくとも１つの光源（２０）と、
・前記個人の各眼の網膜上の前記光源（２０）の網膜反射の少なくとも１つの画像（ＩＲＯＤ１、ＩＲＯＧ１、ＩＲＯＤ２、ＩＲＯＧ２）を捕捉するようになっており、且つ、各捕捉画像を該捕捉画像を表す信号に変換するようになっている、前記支持体（３０）上に取り付けられている少なくとも１つの画像捕捉装置（１０）であって、前記光源（２０）は該画像捕捉装置（１０）に関連付けられた参照枠内（Ｏ、Ｘ、Ｙ、Ｚ）の既知の位置にある、少なくとも一つの画像捕捉装置（１０）と、
・前記個人の頭部に関連付けられた参照枠内において前記個人の注視方向に関連付けられた少なくとも１つの注視方向パラメータを測定するための手段であって、前記パラメータは、
・前記画像捕捉装置（１０）の瞳と、前記個人が自然な姿勢の状態にあり且つ前記画像捕捉装置に眼を向けているときに傾斜している前記個人の解剖学的平面（ＰＦＩ）との間の垂直距離（Ｈ）であって、前記解剖学的平面は、前記個人が自然な姿勢の状態にあり且つ水平に見ているときにほぼ水平である水平解剖学的平面（ＰＦＨ）に相当する、垂直距離（Ｈ）と、
・前記画像捕捉装置（１０）の瞳と、前記個人が自然な姿勢の状態にあり且つ水平に見ているときにほぼ水平である前記水平解剖学的平面（ＰＦＨ）との間の距離と、
・第１の参照平面（ＰＲＥＦＤ１、ＰＲＥＦＧ１）の水平軸線（Ｘ’）に対して垂直な平面内における、該第１の参照平面（ＰＲＥＦＤ１、ＰＲＥＦＧ１）に対する画像捕捉平面（ＰＣＩ）の第１の傾斜角度（ＡＶＤ、ＡＶＧ）であって、前記第１の参照平面（ＰＲＥＦＤ１、ＰＲＥＦＧ１）は、前記画像捕捉装置（１０）の瞳に前記個人の一方の眼（ＯＤ、ＯＧ）を接続する線に対して垂直であり、前記画像捕捉平面（ＰＣＩ）と前記水平軸線（Ｘ’）に対して垂直な前記平面との間の交差部分によって画定される線と、前記参照平面（ＰＲＥＦＤ１、ＰＲＥＦＧ１）と、前記水平軸線（Ｘ’）に対して垂直な前記平面との間の交差部分によって画定される線との間に存在する角度に相当する第１の傾斜角度（ＡＶＤ、ＡＶＧ）と、
・前記水平軸線（Ｘ’）に対して垂直な前記第１の参照平面（ＰＲＥＦＤ１、ＰＲＥＦＧ１）の軸線（Ｙ）に対して垂直な平面内における、前記第１の参照平面（ＰＲＥＦＤ１、ＰＲＥＦＧ１）に対する前記画像捕捉平面（ＰＣＩ）の第２の傾斜角度（ＡＨＤ、ＡＨＧ）であって、前記画像捕捉平面（ＰＣＩ）と前記軸線（Ｙ）に対して垂直な前記平面との間の交差部分によって画定される線と、前記参照平面（ＰＲＥＦＤ１、ＰＲＥＦＧ１）と前記軸線（Ｙ）に対して垂直な前記平面との間の交差部分によって画定される線との間において、前記軸線（Ｙ）に対して垂直な前記平面内に存在する角度に相当する第２の傾斜角度（ＡＨＤ、ＡＨＧ）と
から選択される、測定手段と、
・前記個人の眼（ＯＤ，ＯＧ）の前記屈折特性（Ｄ）を決定するために前記少なくとも１つの捕捉画像を表す前記信号に応答し、且つ、前記決定された屈折特性に関連して前記個人の注視方向に関連付けられた前記少なくとも１つの注視方向パラメータを記憶装置内に記憶するようになっているコンピュータと
を備える、装置。
【発明の詳細な説明】
【技術分野】
【０００１】
本発明は、概して個人の眼の光学特性を測定する方法に関する。さらに明確に述べると、本発明は、個人の両眼の屈折特性の少なくとも１つを自動的に測定するための方法に関する。
【０００２】
本発明は、さらに，この方法が実施されることを可能にする測定装置にも関する。
【背景技術】
【０００３】
個人の眼の屈折特性は、個人の視力を矯正するための眼鏡を作成することにおいて不可欠な役割を果たす重要なものである。
【０００４】
個人の眼の屈折特性を決定するための様々な方法と装置が現時点で知られている。これらの方法と装置は、特に、写真屈折検査法（ｐｈｏｔｏｒｅｆｒａｃｔｉｏｎ）と、いわゆる「網膜検影法」とに基づいている。
【０００５】
しかし、これらの方法とその関連装置は、実行において時間浪費的である。
【０００６】
観察者が裸眼で上記網膜反射を観察するために使用する手動装置は、あまり正確ではない。検出器を使用して精度が改善されているが、個人の眼の各々が個別的に測定される必要があるので、その測定を行うためには長い時間を要する。個人の２つの眼の片方の眼だけからの網膜反射だけが１度に観察される。
【０００７】
これに加えて、既知の装置は、例えば、額のための受け台によって、及び、顎の支持体によって、及び／又は、例えば個人が注視（ｇａｚｅ）する目標を有することによって注視方向を制約するための手段によって、画像捕捉装置に関連付けられた参照枠内において個人の頭部及び／又は眼に対して予め規定された姿勢を強制するための拘束手段を含む。
【０００８】
したがって、こうした既存の方法と装置を使用して行われる屈折特性の測定は、個人の姿勢と注視方向とに関して自然な状態では行われず、したがって、個人の両眼視力が考慮に入れられることを可能にしない。
【０００９】
例えば、こうした測定は、近見視条件又は中間視条件の下での個人の眼の屈折特性を測定することを可能にしない。
【００１０】
あいにく、眼の屈折特性は、視力条件（ｖｉｓｉｏｎ  ｃｏｎｄｉｔｉｏｎ）と、個人によって行われる作業と、個人の姿勢及び注視方向とに基づいて、著しく変化しうる。
【発明の概要】
【発明が解決しようとする課題】
【００１１】
本発明の目的は、個人が非拘束的で快適で自然な姿勢をとっている間に、且つ、決定された視力条件の下で、迅速且つ確実な形で個人の両眼の屈折特性を測定することを可能にする方法及び装置を提供することである。この自然な姿勢は、個人にとって人間工学的に最良であり且つ最も疲れが少ない姿勢に該当する。言い換えると、この自然な姿勢は、個人が通常とる姿勢に該当する。
【課題を解決するための手段】
【００１２】
このために、本発明は、個人の両眼の屈折特性の少なくとも１つを自動的に測定する方法を提供し、この方法は、
ａ）各々の捕捉された画像をその画像を表す信号に変換するようになっている画像捕捉装置に関連付けられた参照枠内の既知の位置の少なくとも１つの光源によって両眼を照明する段階と、
ｂ）画像捕捉装置に関連付けられたその参照枠内において、個人の要望にしたがって、その個人の頭部の少なくとも１つの姿勢を調整する段階と、
ｃ）個人の頭部に関連付けられた参照枠内において、その個人の注視方向に関連付けられた少なくとも１つの注視方向パラメータを測定する段階と、
ｄ）個人の両眼の網膜上での上記光源の網膜反射の少なくとも１つの画像を捕捉するために上記画像捕捉装置を使用する段階と、
ｆ）段階ｄ）において捕捉された上記少なくとも１つの画像から、個人の眼の各々について上記屈折特性を決定する段階と、
ｈ）決定された屈折特性に関連して、段階ｄ）の画像捕捉中に測定された個人の注視方向に関連付けられた注視方向パラメータを記憶する段階
とを含む。
【００１３】
本発明は、さらに、予め規定された視力条件の下、個人の両眼の屈折特性の少なくとも１つを自動的に測定する方法を提供し、この方法は、
ａ）各々の捕捉された画像をその画像を表す信号に変換するようになっている画像捕捉装置に関連付けられた参照枠内において、上記個人の要望にしたがって、個人の頭部の少なくとも１つの姿勢を調整する段階と、
ｂ）画像捕捉装置に関連付けられた上記参照枠内の既知の位置の少なくとも１つの光源によって両眼を照明する段階と、
ｃ）個人の頭部に関連付けられた参照枠内において、その個人の注視方向に関連付けられた少なくとも１つの注視方向パラメータを測定する段階と、
ｉ）個人の両眼の網膜上での上記光源の網膜反射の少なくとも１つの画像を上記画像捕捉装置によって捕捉する段階であって、この画像が、画像捕捉平面内において、上記予め規定された視力条件に対応する範囲内に置かれている上記注視方向パラメータの値に関して捕捉される、段階と、
ｊ）上記少なくとも１つの捕捉画像から、上記予め規定された視力条件における個人の各々の上記屈折特性を測定する段階
とを含む。
【００１４】
したがって、個人の各々の眼の屈折特性、例えば、屈折異常の符号（ｓｉｇｎ）、又は、上記屈折異常の値、すなわち、その球面及び／又は円柱屈折力が個人にとって自然で快適である姿勢において測定され、これによって、個人の実際の視力条件の下で上記屈折特性が決定されることが可能となる。このことが、こうした測定の精度を向上させる。さらに、この屈折特性は、個人の注視方向に関連付けされた注視方向パラメータに関連している。
【００１５】
用語「注視方向に関連付け（ｌｉｎｋ）された」は、上記注視方向パラメータ及び上記個人の注視方向の一方が他方から計算されることを可能にする、上記注視方向パラメータと上記個人の注視方向との間に数学的関係が存在するということを意味するために使用されている。
【００１６】
この関連付け（ｌｉｎｋ）は、直接的であってもよく、この場合には、注視方向パラメータが典型的には眼の方向を追跡するために画像認識を使用することにあり、又は、間接的であってもよく、この場合には、測定されたパラメータが頭部に対して排他的に関係し且つ頭部の１つ又は複数の位置及び／又は方向座標にある。このことは、本発明の特定の具体例において、より詳細に後述されている。
【００１７】
したがって、この方法は、眼の屈折特性の測定値の各々に関連する確立されるべきマップ（ｍａｐ）が、対応する個人の注視方向に関連付けられることを可能にする。このことは、特に、遠見視に関連付けられた屈折特性値から近見視又は中間視に関連付けられた屈折特性値を識別することを可能にする。
【００１８】
用語「近見視」は、本明細書において、２５センチメートル（ｃｍ）から６９ｃｍ離れている物品を個人が注視している条件を意味するために使用されており、及び、用語「中間視」は、７０ｃｍから１９９ｃｍ離れている物品を個人が注視している条件を表すために使用され、及び、用語「遠見視」は、少なくとも２００ｃｍ離れている物品を個人が注視している条件を表すために使用される。
【００１９】
個人は、手動によって若しくは遠隔操作によって、又は、この個人が要望するように調整が行われるように指示を与えることによって、画像捕捉装置の位置と方向を調整する。
【００２０】
代替的に、画像捕捉装置の位置が固定されている場合、個人は、装置に面している間、その個人自身が要望する通りの姿勢をとる。
【００２１】
この方法では、個人の両眼の屈折特性は同時に測定される。したがって、測定は容易であり、且つ、迅速に実行されることが可能である。この方法は、さらに、調節システムと両眼視力における眼の輻輳（ｃｏｎｖｅｒｇｅｎｃｅ）との実態を考慮に入れることを可能にする。
【００２２】
本発明の第１の有利な特徴によって、さらに、次の段階、すなわち、
ｅ）光源の網膜反射の画像の幅又は輝度分布を上記少なくとも１つの捕捉画像から決定し、及び、上記幅又は上記輝度分布の関数として個人の両眼の各々の上記屈折特性を決定する段階
が提供される。
【００２３】
こうした状況では、有利であることに、両眼が同時に照明され、両眼の網膜上の光源の網膜反射の画像が同時に捕捉され、段階ｅ）において、光源の網膜反射の画像の幅又は輝度分布は、少なくとも、上記光源に対する個人の頭部の各々の姿勢において同時に捕捉される両眼の網膜反射に関係する上記信号から決定される。
【００２４】
本発明のこの実施態様は、有利であることに、写真屈折検査法によって上記屈折特性を決定することを可能にする。
【００２５】
本発明の別の有利な特徴によって、両眼が同時に照明され、両眼の網膜上の光源の網膜反射の画像が同時に捕捉され、段階ｅ）において、光源の網膜反射の画像の幅又は輝度分布は、少なくとも上記光源に対する個人の頭部の各々の姿勢において同時に捕捉される両眼の網膜反射に関係する上記信号から決定される。
【００２６】
その後、光源の網膜反射の画像の幅又は輝度分布から個人の眼の各々の屈折異常についての値が推定される。
【００２７】
このことが、各々の眼の屈折異常に関する正確な値を決定することを可能にする。
【００２８】
本発明の別の有利な特徴によって、個人の２つの眼の各々の網膜上の上記光源の網膜反射の少なくとも２つの画像が捕捉され、この方法は、さらに、
ｅ’）上記少なくとも２つの捕捉画像から、光源の網膜反射の画像の移動を決定する段階
を含み、
個人の両眼の各々の上記屈折特性は上記移動の関数として決定される。
【００２９】
本発明の別の有利な特徴によって、
２つの画像捕捉中に、異なる上記光源に対する個人の頭部の姿勢について、
段階ｃ）において、上記２つの画像捕捉中に、個人の頭部の少なくとも一つの姿勢パラメータが画像捕捉装置の参照枠内において測定され、
段階ｅ’）において、決定された網膜反射の画像の移動が、段階ｃ）において測定された上記頭部姿勢パラメータの関数として、２つの画像捕捉の間の光源に対する個人の頭部の姿勢の相違と比較され、
個人の眼の各々の眼の上記屈折特性はこの比較から推定される。
【００３０】
本発明の実施は、有利であることに、網膜検影法によって上記屈折特性を決定することを可能にする。
【００３１】
この場合に、有利であることに、個人の各々の眼の屈折異常の符号は上記比較から推定される。
【００３２】
本発明の別の有利な特徴によって、両眼が同時に照明され、両眼の網膜上の光源の網膜反射の画像が同時に捕捉され、段階ｅ’）において、光源の網膜反射の画像の移動が、少なくとも上記光源に対する個人の頭部の各々の姿勢において同時に捕捉される両眼の網膜反射に関係する上記信号から決定される。
【００３３】
次に示す頭部姿勢パラメータの少なくとも１つが測定されることが有利である。
・個人の頭部又は片方の眼と画像捕捉装置との間の距離、
・画像捕捉装置の瞳と、個人が自然な姿勢の状態にあり且つ画像捕捉装置に眼を向けているときに傾斜している個人の解剖学的平面との間の垂直距離であって、上記平面は、個人が自然な姿勢の状態にあり且つ水平に見ているときにほぼ水平である水平解剖学的平面に相当する垂直距離、
・画像捕捉装置の瞳と、個人が自然な姿勢の状態にあり且つ水平に見ているときにほぼ水平である水平解剖学的平面との間の距離、
・第１の参照平面の水平軸線の周りにおける、第１の参照平面に対する画像捕捉平面の第１の傾斜角度であって、第１の参照平面は、この画像捕捉装置の瞳に個人の一方の眼を接続する線に対して垂直である、第１の傾斜角度、及び、
・上記水平軸線に対して垂直なこの第１の参照平面の軸線の周りにおける、上記第１の参照平面に対する画像捕捉平面の第２の傾斜角度。
【００３４】
一例を示すと、個人の頭部に関するこれらの姿勢パラメータは、その個人が画像捕捉装置を保持する態様とは無関係に、画像捕捉装置に対する着用者の頭部の位置が正確に決定されることを可能にする。
【００３５】
画像捕捉中に、上記光源と上記画像捕捉装置とが上に取り付けられている支持体が、上記個人によって手で支えられることが好ましい。このことは、個人が自分が自然で快適であると分かる状態にあることを確実なものにすることを可能にする。
【００３６】
本発明の別の有利で非限定的な特徴によって、個人が画像捕捉装置の瞳の付近を見つめている間、すなわち、その瞳の付近の定められた区域内を見ている間に、上記少なくとも１つの画像が捕捉されることを検証するための検証段階が画像捕捉段階の前又は後に行われる。
【００３７】
本発明の別の有利で非限定的な特徴によって、上記注視方向パラメータは、排他的に、個人が画像捕捉装置の瞳を注視している間に測定される個人の頭部の姿勢パラメータである。
【００３８】
本発明の別の有利で非限定的な特徴によって、少なくとも１つの画像を捕捉する前の準備段階中に、視力矯正機器が上記個人の顔の上に配置され、上記捕捉画像を表す信号及び／又は上記信号から推定された屈折特性は、この視力矯正機器の屈折力（ｐｏｗｅｒ）と偏角（ｄｅｆｌｅｃｔｉｏｎ）とに応じて矯正される。
【００３９】
その後、本発明の方法の画像捕捉中に捕捉される画像は、例えば眼鏡フレームのリムの下端縁と個人の各眼の瞳孔との間の高さのような、個人の他の自然形態学的（ｐｈｙｓｉｃｏ−ｍｏｒｐｈｏｌｏｇｉｃａｌ）パラメータを決定するために処理されることが可能である。
【００４０】
本発明の別の有利で非限定的な特徴では、段階ｃ）において、個人の注視方向が、両眼の角膜反射の画像を表す信号から計算される。
【００４１】
これに加えて、本発明の方法の一変形例が、
ｒ）少なくとも１つの画像の捕捉の前又は最中に、個人の眼の前に画像を表示し、この画像は、上記画像の空間周波数をフィルタリングするための特定のカットオフの周波数フィルタによるローパスフィルタリングに相当する不鮮明性を表す段階と、
ｔ）段階ｒ）において使用されたローパスフィルタのカットオフ周波数の値に関連して決定された屈折特性を記憶装置内に記憶する段階と、
ｕ）画像フィルタの様々なカットオフ周波数に関して、少なくとも段階ｂ）、ｃ）、ｄ），ｆ）、ｒ）及びｔ）、又は、段階ｂ）、ｃ）、ｉ）、ｊ）、ｒ）及びｔ）を繰り返す段階
とを含む。
【００４２】
したがって、この方法は、段階ｒ）において使用されたフィルタのカットオフ周波数の様々な値に関して、ひいては画像における様々な度合いの不鮮明性（ｆｕｚｚｉｎｅｓｓ）に関して、当該不鮮明画像を見る条件の下、個人の眼の屈折特性を測定することを可能にする。
【００４３】
その後、有利であることに、個人の眼の屈折特性が画像不鮮明性の度合いの変化に応じてどのように変化するかを決定することが可能である。
【００４４】
さらに、その画像における様々な度合いの不鮮明性に関して個人による不鮮明性の認知を特徴付けることと、不鮮明性の認知が画像の不鮮明性の度合いの変化に応じてどのように変化するのかを決定することとが可能である。
【００４５】
したがって、この変形例は、心理物理的な試験が行われることを可能にする。
【００４６】
本発明の別の変形例では、
・上記画像捕捉段階中に、少なくとも２つの画像が連続的に捕捉され、これらの画像の各々は、個人の両眼の網膜上の上記光源の２つの網膜反射の画像に相当し、
・上記２つの画像の一方から個人の２つの眼の一方の上記屈折特性を決定し、且つ、他方の画像から個人の他方の眼の屈折特性を決定する。
【００４７】
本発明は、さらに、個人の両眼の屈折特性の少なくとも１つを自動的に測定するための装置を提供し、この装置は、
・支持体と、
・個人の眼の少なくとも一方の眼を照明するような態様において支持体上に取り付けられている少なくとも１つの光源と、
・個人の各眼の網膜上の上記光源の網膜反射の少なくとも１つの画像を捕捉するようになっており、且つ、各捕捉画像を捕捉画像を表す信号に変換するようになっている、上記支持体上に取り付けられている少なくとも１つの画像捕捉装置であって、光源に対する個人の頭部の姿勢が２つの画像捕捉の間で異なり、上記光源は上記画像捕捉装置に関連付けられた参照枠内の既知の位置にある、少なくとも一つの画像捕捉装置と、
・個人の頭部に関連付けられた参照枠内において個人の注視方向に関連付けられた少なくとも１つの注視方向パラメータを測定するための手段と、
・個人の眼の上記屈折特性を決定するために上記少なくとも１つの捕捉画像を表す信号に応答し、且つ、決定された屈折特性に関連して個人の注視方向に関連付けられた上記少なくとも１つの注視方向パラメータを記憶装置内に記憶するようになっているコンピュータと
を備える。
【００４８】
本発明の別の有利で非限定的な特徴によって、個人の頭部の上記姿勢パラメータを測定するための前記手段は、個人の頭部の上又は眼鏡の上に取り付けられるようになっている、個人の頭部の位置を識別するための要素、少なくとも１つの超音波送信器と少なくとも１つの超音波受信器とを含む測定装置、又は、電磁センサを使用する測定装置を備える。
【００４９】
この測定装置は、個人の頭部の姿勢パラメータを遠隔的に迅速に且つ正確に測定することを可能にする。
【００５０】
本発明の別の有利で非限定的な特徴によって、光源が、公知である互いに対する相対的な位置を有する複数の二次光源を備え、これらの二次光源の各々は互いに独立的に点灯させられうる。
【００５１】
各々の画像捕捉のために異なる光源を起動することによって、個人の頭部が動かないならば、上記光源に対する個人の頭部の姿勢が各々の画像捕捉中に異なっていることを確実なものにすることが可能である。
【００５２】
あるいは、代替策として、光源が画像捕捉装置に対して移動可能であってもよい。
【００５３】
非限定的な具体例として示されている添付図面を参照しながら行われる以下の説明が、本発明が何であるかということと、本発明がどのように実施されるかということとを示す。
【図面の簡単な説明】
【００５４】
【図１】個人が測定装置を手で保持している、本発明の方法の実施形態の斜視図である。
【図２】第１の画像捕捉中に個人が図１の測定装置の方を見ている時の、図１の個人の眼の略斜視図である。
【図３】図２に関連付けられた、捕捉された第１の画像の画像捕捉平面における概略図である。
【図４】第２の画像捕捉中に個人が図１の測定装置の方を見ている時の、図１の個人の眼の略斜視図である。
【図５】図４に関連して捕捉されたときの第２の画像の画像捕捉平面における概略図である。
【図６】図１の測定装置を手に持っている個人の側面図である。
【図７】個人の眼と図１の測定装置とを示す、水平平面における略平面図である。
【発明を実施するための形態】
【００５５】
全般的に述べると、この着想は、既知であるか又は決定されている視力条件の下で、自然な姿勢である個人の両眼の屈折特性の少なくとも１つを自動的に測定することである。したがって、対応する眼の屈折特性に関連してこの注視方向パラメータを記録するために、又は、測定された注視方向パラメータが個人が予め規定された当該視力条件にあるということを示す時に、画像捕捉を起動させるために、又は、一連の画像が捕捉され終わった後に、これらの条件の下で眼の屈折特性を決定するように当該の視力条件の下で捕捉された画像を選択するために、各々の捕捉画像に対応する注視方向に関連しているパラメータの測定が行われる。
【００５６】
特に重要なのは、個人が近見視又は中間視で見ている場合の視力条件である。眼の屈折特性は、眼が近見視又は中間視に追従する「調節」として知られている現象によって著しく変化させられる可能性がある。
【００５７】
後述の具体例では、この測定は、例えば、Ｔｈｅ  Ｂｒｉｔｉｓｈ  Ｊｏｕｒｎａｌ  ｏｆ  Ｏｐｈｔｈａｌｍｏｌｏｇｙにおいて１９４４年にＭ．Ｋｌｅｉｎによって発表された標題「検影法の原理」の論文に説明されているような、網膜検影法の原理に依拠している。
【００５８】
本発明の測定装置１００の一例が、図１と図２と図４とに示されている。この測定装置１００は、画像捕捉装置１０と、個人の頭部を照明するための照明手段２０とのための支持体として使用されるハウジング３０を備える。
【００５９】
ハウジング３０は長方形タブレットの形であることが有利である。
【００６０】
一例として、次の屈折特性、すなわち、屈折異常符号（ａｍｅｔｒｏｐｉａ  ｓｉｇｎ）、球面屈折力、円柱屈折力、及び、円柱の軸線の位置の少なくとも１つを決定することによって、個人の各々の眼の客観的な屈折異常（ｏｂｊｅｃｔｉｖｅ  ａｍｅｔｒｏｐｉａ）を決定することが望ましい。
【００６１】
近視の場合には屈折異常符号は負であり、遠視の場合には屈折異常符号は正である。屈折異常の値は、眼の球面屈折力と円柱屈折力とに対応する。この値は、眼の様々な経線に沿って決定される。円柱屈折力と円柱の軸線とが眼の乱視を特徴付ける。
【００６２】
これらの屈折特性は、個人の屈折異常の矯正に適合させられている眼鏡レンズのタイプ（眼鏡レンズの収束、発散、環状面、及び、屈折力）が決定されることを可能にするので、個人に対して適合させられた光学機器を選択する時に不可欠である。
【００６３】
個人は、図１に示されているように、立っていようと座っていようと、自然な姿勢の状態にある。測定装置１００に対する個人の姿勢は、顎支持体又は額受け台によって束縛されない。用語「自然の」姿勢は、最も快適であり、最も人間工学的に適しており、個人にとって最も疲れにくい、個人の姿勢を意味するために使用される。
【００６４】
段階ａ）では、個人の頭部の少なくとも１つの姿勢が、個人の要望に応じて、画像捕捉装置に関連付けられた参照枠内において調整される。
【００６５】
このことは、特に測定装置を個人が手で保持する第１の実現形態では、例えば図１に示されているように、個人が自由に姿勢をとり、画像捕捉装置１００をその個人が要望する場所に置くことによって、単純に個人によって手動で行われてもよい。
【００６６】
画像捕捉装置が支持体上に置かれるか又は台の上に取り付けられる第２の実施形態では、測定装置の位置決めが変更されることを可能にする遠隔操作装置によって、又は、指示にしたがって測定装置の位置を変更するオペレータに対して声による命令を与えることによって、個人がこの調整を遠隔的に行うことが可能である。
【００６７】
最後に、第３の実施形態では、測定装置は定置されており、個人は、測定装置１００に対して所望の位置をとる。
【００６８】
したがって、その実施形態が何であろうとも、自然であり且つ束縛されていない位置にある個人の頭部の画像を捕捉することが可能である。このことが、実際の視力条件の下で個人の眼の屈折特性を決定することを可能にする。
【００６９】
一変形例では、例えば画像捕捉装置の瞳の付近に置かれたテキストを読むことのような特定の目視作業が、個人に課せられるだろう。この場合に、このことが、画像が捕捉されることを可能にし、このため、目視作業を行うために個人が自然に採用する姿勢において個人の眼の屈折特性が決定されることを可能にする。
【００７０】
段階ｂ）では、オペレータが、既知の画像捕捉装置に関連付けられた参照枠（Ｏ、Ｘ、Ｙ、Ｚ）内の既知の位置を有する少なくとも１つの光源によって個人の両眼を照明する。
【００７１】
画像捕捉装置１０に関連付けられた参照枠（Ｏ、Ｘ、Ｙ、Ｚ）は、例えば、画像捕捉装置の瞳の上で中心に配置されるだろう。軸線（Ｏ、Ｘ）（Ｏ、Ｙ）は、画像捕捉平面ＰＣＩ内を延び、この画像捕捉平面ＰＣＩは、この場合には支持体３０の平均平面によって表される画像捕捉装置のセンサの平面である。軸線（ＯＺ）は、画像捕捉装置の光軸であり、この軸線は画像捕捉平面ＰＣＩに対して垂直である。
【００７２】
図１と図２と図４とに示されている例では、測定装置１００の照明手段２０は複数の光源２０を備える。これらの光源は、非常に小さいサイズ、例えば、ほぼ点のサイズであることが好ましい。例えば、光源の各々が約１ミリメートル（ｍｍ）の幅を有する。この例では、光源は発光ダイオード（ＬＥＤ）２０である。これらのＬＥＤの各々はそれぞれ互いに独立的に点灯させられて個人の両眼を照明する。これらのＬＥＤは発散光源を構成する。したがって、有利なことに、これらのＬＥＤは、非常に広い立体角を照明し、その結果として個人の頭部が広範囲に照明される。
【００７３】
本明細書に説明されている光源２０は一次光源であるが、しかし、一変形例では、この光源２０は、この一次光源から到来する光線自体を反射又は偏向させることによって得られる二次光源であることが可能である。
【００７４】
この例では、ＬＥＤは、画像捕捉装置１０のための支持体としても機能するハウジング３０の前面上に配置されており、このため、画像捕捉装置の参照枠内におけるこれらのＬＥＤの各々の位置が構造によって分かっており且つ一定不変である。
【００７５】
この例では、ＬＥＤは、ハウジング３０の前面の平面内に位置しており、且つ、画像捕捉装置１０の瞳１１が位置している箇所において交差する４つの位置合わせ方向に沿って位置合わせされている。
【００７６】
あるいは、この代わりに、当業者に公知である任意の他のタイプの光源を使用することを想定することが可能である。所定の位置にある時に、画像捕捉装置の参照枠内において個人の頭部に対して相対的に移動させられることが可能な単一の光源を使用することが可能である。この場合に、測定装置が、この参照枠内の光源の位置を決定するための手段を有する。
【００７７】
画像捕捉段階では、画像捕捉装置１０は、個人の２つの眼の網膜上の上記光源の網膜反射各々の少なくとも１つの画像、好ましくは２つの画像を捕捉し、各々の画像は対応する画像捕捉平面内で捕捉され、上記光源に対する個人の頭部の相対的姿勢はこの２つの画像捕捉の間で異なっている。
【００７８】
画像捕捉装置による画像捕捉はオペレータによって起動されるか又は例えば電子及びコンピュータ装置によって自動的に起動される。
【００７９】
例えば、この電子及びコンピュータ装置は、画像取得及び、取得された画像の処理のための、そのコンピュータ上に実装されているソフトウェアを有するコンピュータを備える。
【００８０】
測定装置１００は、対応する通信手段を有するコンピュータと通信するための手段を有することが好ましい。測定装置１００とコンピュータとの通信手段は有線又は無線タイプであってよく、任意の従来通りの設計であってよく、したがって、この通信手段は説明されない。これらの通信手段が、共通のネットワークアーキテクチャの中に、又は、画像捕捉装置が複数のコンピュータと通信することを可能にする固定通信リンクの中に組み込まれていることが有利である。
【００８１】
したがって、この電子及びコンピュータ装置は、オペレータによって予め規定された間隔で画像捕捉を起動する。測定装置１００は、捕捉された画像を電子及びコンピュータ装置に送信し、及び、この電子及びコンピュータ装置は、後述されているように、段階ｃ）で行われる個人の頭部に関する姿勢パラメータの測定値を受け取る。
【００８２】
一変形例では、電子及びコンピュータ装置が、第１に、捕捉画像及び／又はこれらの画像を処理する段階中に得られた結果を通信するための表示スクリーンと、第２に、この電子及びコンピュータ装置がこれらの結果を他の機器と通信することを可能にする結線とを含む独立したシステムであるように講じられることがある。さらに、このシステムのための独立した処理システムが測定装置１００内に採用随意に組み込まれるように講じられることがある。
【００８３】
例えば、２つの画像捕捉が図２と図４に示されている構成において行われる。これらの図は、測定装置１００に対する、これら２つの画像の捕捉中の個人の眼を示す概略図である。
【００８４】
図２に示されているように、第１の画像捕捉中に、測定装置１００のＬＥＤ２０の第１のＬＥＤ２１が、点灯させられて、光線２３によって表されているように個人の右眼ＯＤと左眼ＯＧとを同時に照明する。これらの光線２３は個人の眼ＯＤ、ＯＧの各々の中の網膜を照明し、したがって、その次に、網膜は二次光源として作用する。これらの光線は網膜によって拡散の形で反射され、及び、眼から出て元に戻る。これらの光線２３の一部分は、網膜によって拡散の形で反射され、対応する眼ＯＤ、ＯＧを出て、画像捕捉装置１０の瞳１１によって受け取られる。
【００８５】
同様に、図４に示されている第２の画像捕捉中に、測定装置の第２のＬＥＤ２２が、点灯させられて、光線２４によって表されているように、個人の右目ＯＤと左眼ＯＧを同時に照明する。これらの光線は個人の眼ＯＤ、ＯＧの各々の中の網膜を照明する。これらの光線２４の一部分は、網膜によって反射され、対応する眼ＯＤ、ＯＧを出て、画像捕捉装置１０の瞳１１によって受け取られる。
【００８６】
したがって、画像捕捉装置１０によって捕捉される対応する画像Ｉ１、Ｉ２は、個人の眼ＯＤ、ＯＧの各々の網膜上の対応する第１及び第２のＬＥＤ２１、２２の反射画像ＩＲＯＤ１、ＩＲＯＧ１、ＩＲＯＤ２、ＩＲＯＧ２を含む。
【００８７】
一般的に、各々の網膜反射画像ＩＲＯＤ１、ＩＲＯＧ１、ＩＲＯＤ２、ＩＲＯＧ２の一部分だけが、各々の眼ＯＤ、ＯＧの瞳孔１１を通して目視可能である。目視可能な画像の一部分は、個人の瞳孔と画像捕捉装置の瞳との間を延びる切頭円錐形の空間の中に位置する部分である。
【００８８】
この例では、網膜反射の画像ＩＲＯＤ１、ＩＲＯＧ１、ＩＲＯＤ２、ＩＲＯＧ２が、対応する眼の画像ＩＯＤ１、ＩＯＧ１、ＩＯＤ２、ＩＯＧ２内に網掛け表示の形で示されている（図３及び図５）。捕捉画像において目視不可能なこの反射画像の輪郭が、点線として描かれている。
【００８９】
この電子及びコンピュータ装置は、実際には、一連の画像を捕捉する働きをし、目視可能な網膜反射画像をその上に有する画像だけが引き続いて保持される。特に、この電子及びコンピュータ装置は、上記切頭円錐形空間に入って出ていく画像に相当する２つの画像を選択し、この１対の画像が最大量の情報に対するアクセスを与える。
【００９０】
この例では、画像捕捉装置の参照枠内の個人の頭部の姿勢が、画像が捕捉されている最中は同一のままであるが、しかし、異なるＬＥＤが各々の画像捕捉中に点灯させられるので、上記光源に対する相対的な個人の頭部の姿勢は２つの画像捕捉の間で異なる。この目的のために、例えば、非常に短い時間間隔で隔てられている２つの画像を捕捉することが可能であり、したがって、この時間間隔内における個人のあらゆる移動が非常にわずかである。例えば、この時間間隔は、２ミリ秒（ｍｓ）から１００ｍｓの範囲内であるだろう。
【００９１】
図３と図５に概略的に示されている画像Ｉ１、Ｉ２を比較することによって、画像Ｉ１内のＬＥＤ２１の反射の画像ＩＲＯＤ１、ＩＲＯＧ１の位置が、画像Ｉ２内のＬＥＤ２２の反射の画像ＩＲＯＤ２、ＩＲＯＧ２の位置とは異なっていることが示される。言い換えると、画像捕捉中に点灯させられる光源の位置が変化する時に、上記光源の反射の画像の位置も変化する。
【００９２】
この例では、対応する眼の瞳孔を通して撮像された各々のＬＥＤの反射の画像ＩＲＯＤ１、ＩＲＯＧ１、ＩＲＯＤ２、ＩＲＯＧ２の位置が、個人の瞳孔の画像ＩＰＤ１、ＩＰＧ１、ＩＰＤ２、ＩＰＧ２の照明された区域、すなわち、図３と図５における網線によって表されている点灯している光源の網膜反射と、ＬＥＤ２１、２２によって照明されていない瞳孔の暗帯との間の境界又は限界ＩＬＤ１、ＩＬＧ１、ＩＬＤ２、ＩＬＧ２によって表されている。この限界ＩＬＤ１、ＩＬＧ１、ＩＬＤ２、ＩＬＧ２は、光源の反射の画像ＩＲＯＤ１、ＩＲＯＧ１、ＩＲＯＤ２、ＩＲＯＧ２の端縁に一致する。
【００９３】
個人が画像捕捉装置１０の瞳１１の付近を見ている時に、画像捕捉段階が行われる。その場合に、個人の各々の眼の注視方向に従う視線ＤＶＤ、ＤＶＧが、画像捕捉装置１０（図７）の瞳１１に対して各々の眼ＯＤ、ＯＧを接続する各々の観察線ＤＯＤ、ＤＯＧに対して１０度未満の閾値以下の角度ＡＤ、ＡＧを形成することが好ましい。この条件によって、個人の眼の瞳孔が適切な形で撮像されることを確実なものにすることが可能であり、したがって、個人の２つの眼の各々の眼の上の光源の網膜反射が２つの捕捉画像中で目視可能である。
【００９４】
実際には、１組の３つ以上の画像が画像捕捉装置１０によって捕捉される。この後に、光源の角膜反射とこれに対応する眼の瞳孔との相対的位置とから個人の注視方向を計算することによって、個人が画像捕捉装置１０の瞳１１の付近（すなわち、予め規定された区域）を見ている画像が選択される。
【００９５】
この例では、この決められた区域は、注視方向内の視線ＤＶＤ、ＤＶＧと観察線ＤＯＤ、ＤＯＧとの間の角度ＡＤ、ＡＧがその表面内では上記閾値よりも小さい、画像捕捉装置の瞳の周りに位置している支持体の表面に相当する。
【００９６】
複数の画像が選択される場合には、電子及びコンピュータ装置は、採用随意に、これらの画像を平均化するようにプログラムされてもよい。
【００９７】
この代わりに、代替策として、画像が画像捕捉装置１０の瞳１１の付近（すなわち、決められた区域内）を見ている間に、上記少なくとも１つの画像が捕捉されることを確実なものにするために、本発明の方法が画像捕捉段階の前の検証段階を含むように講じることも可能である。個人の注視方向がこの区域内にある画像だけが捕捉される。
【００９８】
最後に、さらに、２つのＬＥＤの各々が点灯させられている時に個人の頭部の複数の画像を捕捉することが可能であり、このため、各ＬＥＤが点灯している間に捕捉された画像を平均化すること、及び／又は、異なるＬＥＤを連続的に点灯させることに対応する一連の画像を捕捉することが可能となる。この場合には、画像処理によって得られる結果の正確さが改善される。
【００９９】
上記画像捕捉の最中に行われる段階ｃ）では、個人の頭部に関連付けられた参照枠内の個人の注視方向に関係する少なくとも１つのパラメータが測定される。
【０１００】
この例では、この注視方向パラメータは、排他的に、個人が画像捕捉装置の瞳を注視している間に測定される個人の頭部の姿勢に関係するパラメータである。
【０１０１】
この例では、この注視方向パラメータは、画像捕捉装置の瞳に向かって下げられている注視を表している頭部の姿勢のパラメータである。眼の目視点が画像捕捉装置の瞳に近いので、頭部の姿勢に関するこのパラメータは注視方向に関連しており、この注視方向は計算によってこのパラメータから直接的に推定されるだろう。
【０１０２】
この測定は、２つ以上の捕捉画像の各組の中の画像の少なくとも１つに関して行われる。これについてはより詳細に後述する。
【０１０３】
この測定は、画像を捕捉するのと同時に、又は、画像捕捉前若しくは画像捕捉後の１００ｍｓ以下の時間間隔内において行われる。
【０１０４】
段階ｅ’）では、電子及びコンピュータ装置は、上記画像を表している上記信号から、２つの捕捉画像の間の光源の網膜反射画像の移動を決定する。
【０１０５】
電子及びコンピュータ装置は、その決定された網膜反射の画像の移動を、２つの画像捕捉の間の光源に対する個人頭部の姿勢の間の差異と比較し、個人の眼の屈折特性がそれから推定される。
【０１０６】
本発明の方法の第１の変形例では、段階ｈ）において、個人の注視方向パラメータの測定の結果が、上記注視方向に対応する視力条件の下での捕捉画像から推定される屈折特性に関連して、電子及びコンピュータ装置の記憶装置内に記憶される。
【０１０７】
その次に、この電子及びコンピュータ装置は、個人の注視方向と眼の屈折特性とに関連するマップを再構成する。
【０１０８】
本発明の方法の第２の変形例では、画像捕捉段階中に、電子及びコンピュータ装置は、注視方向パラメータＨの値が上記予め規定された視力条件（例えば、近見視）に対応する範囲内に含まれない場合には、画像捕捉を起動しない。その次に、この電子及びコンピュータ装置は、個人が上記予め規定された視力条件にある時の個人の眼の屈折特性だけを決定する。
【０１０９】
この変形例は、画像を捕捉することとは無関係に、注視方向が得られる時にだけ明瞭に想定されなければならない。このことは、例えば、注視方向パラメータが個人の頭部の姿勢から直接的に推定できる時に当てはまり、及び、個人の頭部の姿勢は、画像捕捉を必要としない測定手段によって測定される。さらに、動画カメラが個人の頭部を連続的に動画撮影することと、適切な瞬間に画像捕捉を起動するために注視方向パラメータが動画撮影画像から同時に計算されることを想定することが可能である。
【０１１０】
本発明の方法の第３の変形例では、電子及びコンピュータ装置は、捕捉された画像の中から、測定された注視方向パラメータが上記予め規定された視力条件（例えば、近見視）に相当する範囲内に含まれる値を表す画像を選択する。その次に、この電子及びコンピュータ装置は、選択された画像から個人の眼の屈折特性を決定する。
【０１１１】
実際に且つ好ましくは、両眼ＯＤ、ＯＧが同時に照明されている時に、両眼の各々の網膜上の光源の網膜反射画像が同時に捕捉され、段階ｅ’）において、上記光源に対する個人の頭部の各姿勢において同時に捕捉される両眼の網膜反射に関係する上記信号に少なくとも基づいて比較が行われる。
【０１１２】
さらに明確に述べると、段階ｃ）では、図６に示されているように、例えば、画像捕捉装置１０の瞳１１と、例えば遠見視条件の下での水平解剖学的平面ＰＦＨに対応する近見視又は中間視のような画像捕捉の視力条件の下での傾斜した解剖学的平面ＰＦＩとの間の垂直距離Ｈの測定が行われる。
【０１１３】
一変形例では、段階ｃ）において、画像捕捉装置の瞳と、個人が自然な姿勢の状態であり且つ水平線を見ているときにほぼ水平である水平解剖学的平面ＰＦＨとの間の距離が測定される。
【０１１４】
別の変形例では、注視方向パラメータが、直接的に、両眼の角膜反射の画像を表している信号に基づいて電子及びコンピュータ装置によって決定される視線ＤＶＤ、ＤＶＧの座標であるように講じられることがある。
【０１１５】
次の頭部姿勢パラメータも測定される。
・頭部又は個人の眼ＯＤ、ＯＧの一方と画像捕捉装置との間の距離ＤＤ、ＤＧであって、例えば、より詳細に述べると、個人の眼ＯＤ、ＯＧの回転の中心と画像捕捉装置との間の距離ＤＤ、ＤＧ。
【０１１６】
さらに、次の頭部姿勢パラメータの少なくとも１つを測定するように講じられることがある。
・第１の参照平面ＰＲＥＦＤ、ＰＲＥＦＧの水平軸線Ｘ’の周りにおける、第１の参照平面ＰＲＥＦＤ１、ＰＲＥＦＧ１に対する画像捕捉平面ＰＣＩの第１の傾斜角度ＡＶＤ、ＡＶＧであって、第１の参照平面ＰＦＥＦＤ１、ＰＲＥＦＧ１は観察線ＤＯＤ、ＤＯＧに対して垂直であり、観察線ＤＯＤ、ＤＯＧは個人の眼ＯＤ、ＯＧのうちの一つを画像捕捉装置１０の瞳１１に接続する、第１の傾斜角度ＡＶＤ、ＡＶＧ。
・上記水平軸線Ｘ’に対して垂直である上記第１の参照平面ＰＲＥＦＤ１、ＰＲＥＦＧ１の軸線Ｙの周りにおける、第１の参照平面ＰＲＥＦＤ１、ＰＲＥＦＧ１に対する画像捕捉平面ＰＣＩの第２の傾斜角度ＡＨＤ、ＡＨＧ。
【０１１７】
したがって、第１の角度ＡＶＤ、ＡＶＧは、画像捕捉平面ＰＣＩと水平軸線Ｘ’に対して垂直な上記平面との間の交差部分によって画定される線と、参照平面ＰＲＥＦＤ１、ＰＲＥＦＧ１と水平軸線Ｘ’に対して垂直な上記平面との間の交差部分によって画定される線との間の、上記水平軸線Ｘ’に対して垂直な平面内に存在する角度に相当する。
【０１１８】
したがって、第２の角度ＡＶＤ、ＡＶＧは、画像捕捉平面ＰＣＩと軸線Ｙに対して垂直な上記平面との間の交差部分によって画定される線と、参照平面ＰＲＥＦＤ１、ＰＲＥＦＧ１と軸線Ｙに対して垂直な上記平面との間の交差部分によって画定される線との間の、上記軸線Ｙに対して垂直な平面内に存在する角度に相当する。
【０１１９】
注視方向Ｈ及び個人の頭部の姿勢のこれらのパラメータを測定するために、個人の頭部に、例えば、国際公開第２００８／１３２３５６号に説明されている位置識別システムのような位置識別システムが取り付けられてもよい。この位置識別システムは、着用者の頭部上に直接的に保持されてもよく、又は、眼鏡レンズを含まない眼鏡フレーム上に配置されてもよい。
【０１２０】
姿勢に関する様々なパラメータ、特に着用者の頭部と画像捕捉装置との間の距離に関する様々なパラメータを計算する方法が、その文献に説明されている。
【０１２１】
解剖学的平面ＰＦＨが、その文献において説明されているようなフランクフルト平面であることが有利である。個人の頭部が自然な姿勢の状態であり且つ個人が画像捕捉装置を見ており無限遠は見ていない時に、その傾斜した解剖学的平面ＰＦＩはフランクフルト平面に相当する。
【０１２２】
特に、従来の校正段階は、個人が遠方を見ている間にフランクフルト平面の位置が決定されられている最中に行われる。この場合に、フランクフルト平面はほぼ水平である。個人の頭部が傾斜している時には、さらに、上記文献に説明されている位置識別システムの垂直位置識別要素の画像の幾何学的特徴からフランクフルト平面の位置を推定することが可能である。例えば、これは、その垂直位置識別要素上に示されているパターンの暗縞（ｂｌａｃｋ  ｓｔｒｉｐ）間の間隔に関係するだろう。
【０１２３】
上記文献は、さらに、個人の頭部の参照枠内における個人の眼の回転中心の位置を決定する方法も説明している。この決定は、さらに、校正段階として行われてもよい。
【０１２４】
個人が画像捕捉装置の瞳を注視する時には、眼の回転中心の位置が頭部の参照枠内においてすでに決定されているので、且つ頭部の位置が画像捕捉の参照枠内においてすでに決定されているので、画像捕捉参照枠内における眼の回転中心の位置をそれから推定することが可能である。個人が画像捕捉装置の瞳を見つめる場合には、個人の眼の注視方向と、傾斜フランクフルト平面に対する相対的な画像捕捉装置の瞳の位置とを、それから推定することが可能である。
【０１２５】
一変形例では、２００５年にＳｐｒｉｎｇｅｒによって出版された書籍「Ａｎａｌｙｓｉｓ  ａｎｄ  ｍｏｄｅｌｉｎｇ  ｏｆ  ｆａｃｅｓ  ａｎｄ  ｇｅｓｔｕｒｅｓ」においてＭ．Ｏｋａ他によって発表された論文「Ｒｅａｌ−ｔｉｍｅ  ｍｏｄｅｌｉｎｇ  ｏｆ  ｆａｃｅ  ｄｅｆｏｒｍａｔｉｏｎ  ｆｏｒ  ３Ｄ  ｈｅａｄ  ｐｏｓｅ  ｅｓｔｉｍａｔｉｏｎ」（ｐ３０８−３２０）に説明されている方法を使用して着用者の頭部の姿勢を３次元で推定する方法が使用されてもよい。
【０１２６】
さらに、米国特許出願公開第２００３／０１６９９０７号明細書で説明されている方法のような、注視方向パラメータを決定するための当業者に公知の「視線追跡（ｅｙｅ  ｔｒａｃｋｉｎｇ）」方法を使用することを想定することも可能である。
【０１２７】
典型的には、視線追跡法では、個人の眼の各々の網膜上の光源の反射の座標を決定するために画像が処理される。この段階は、例えば、画像と、反射に関する理論的パターンとの間の畳み込み（ｃｏｎｖｏｌｕｔｉｏｎ）によって行われる。反射の座標が、例えば、反射を表す画像の画素座標によって決定されるだろう。
【０１２８】
瞳孔の端縁が、例えば、勾配とハフ変換とによって輪郭を検出することによって検出され、このようにして瞳孔の中心の座標と瞳孔の直径とを決定することを可能にする。
【０１２９】
校正段階は、さらに、光源の反射の位置と瞳孔の中心の座標とを注視方向に関する角度に変換する多項式関係又は他の関係を決定することも可能にする。これを行うために、この校正段階中に、個人が画像捕捉参照枠内の既知の３Ｄ位置の照準点（ｓｉｇｈｔｉｎｇ  ｐｏｉｎｔ）、又は、少なくとも上記参照枠内の既知の角度位置の照準点を注視する。
【０１３０】
別の校正方法が、個人の頭部に関連付けられている参照枠に対して平行である平面内の２次元の瞳孔の位置を計算することにある。特に、個人の頭部に取り付けられている参照枠に対して平行なこの平面は、上記フランクフルト平面に対して垂直な額平面（ｆｏｒｅｈｅａｄ  ｐｌａｎｅ）であってよい。
【０１３１】
電子及びコンピュータ装置が、さらに、測定された頭部姿勢パラメータと注視方向パラメータとを記憶装置内に記憶することが有利である。したがって、屈折特性は、こうして計算されることが可能であり、おそらくは、これらの頭部姿勢パラメータの関数として後で矯正されることが可能である。
【０１３２】
例えば、個人の注視方向における視線ＤＶＤ、ＤＶＧが、個人の眼を画像捕捉装置の瞳に接続する観察線ＤＯＤ、ＤＯＧに対して角度シータをなす時には、捕捉画像上の個人の瞳孔の画像は円形ではなく、むしろ楕円形である。この場合に、コンピュータは、瞳孔の実際の形状、したがって光源の画像の反射の実際の形状を再構成するために、上記角度シータのコサインに等しい係数で楕円の小径を割り算するようにプログラムされている。このことは、対応する画像処理の終了時に屈折特性をより正確に決定することを可能にする。
【０１３３】
実際には、段階ｅ’）において、電子及びコンピュータ装置は、光源の異なる位置に対応する２つの画像における光源の網膜反射画像の移動方向を、２つの対応する画像捕捉の間の光源自体の移動方向と比較する。
【０１３４】
図２から図５に示されている例では、光源はＬＥＤ２１の位置からＬＥＤ２２の位置に移動し、すなわち、個人の頭部の参照枠内においてほぼ水平である軸線に沿って、着用者の頭部の参照枠内において左から右に移動する。
【０１３５】
個人の眼の各々の瞳孔を通過して撮像されたＬＥＤ２２の網膜反射の画像ＩＲＯＤ２、ＩＲＯＧ２は、ＬＥＤ２１の網膜反射の画像ＩＲＯＤ１、ＩＲＯＧ１に対して参照枠内においてわずかに左に片寄っている。
【０１３６】
したがって、網膜反射の画像ＩＲＯＤ１、ＩＲＯＧ１は、ＬＥＤの移動軸線に対して平行である眼の軸線に沿って、光源の移動方向とは反対向きの方向に移動させられる。この例では、これらの軸線はほぼ水平である。
【０１３７】
網膜検影法の原理にしたがって、電子及びコンピュータ装置は、ＬＥＤの移動軸線に対して平行である眼の軸線に対して垂直な眼の経線に沿って、すなわち、この例では垂直の経線に沿って、個人の眼ＯＤ、ＯＧが負の屈折異常（すなわち、近視）を示すということを、この比較から推定するようにプログラムされている。
【０１３８】
反射の画像の移動が光源の移動と同じ方向に生じる時には、電子及びコンピュータ装置は、対応する経線に沿って、個人の眼ＯＤ、ＯＧが正の屈折異常（すなわち、遠視）を示すということを、この比較から推定するようにプログラムされている。
【０１３９】
この例では、測定装置の平面内のＬＥＤ２０の構成が、支持体３０の前面の上にＬＥＤが一直線に配列されている４つの方向の各々に配置されている少なくとも２つのＬＥＤを連続的に点灯させることによって、第１の経線から４５度に方向配置されている２つの経線とその第１の経線から９０度に方向配置されている１つの経線とを含む眼の４つの経線に沿って、各々の眼の屈折異常の符号を決定することを可能にする。
【０１４０】
一変形例では、段階ｅ）において、電子及びコンピュータ装置は、光源の網膜反射の画像ＩＲＯＤ１、ＩＲＯＧ１、ＩＲＯＤ２、ＩＲＯＧ２の幅を決定するために、少なくとも１つの画像を表している信号、好ましくは各々の画像を表している信号を使用して、個人の眼の屈折異常に関する値をそれから推定する。
【０１４１】
この例では、光源がＬＥＤなので、画像は円形の形状である。
【０１４２】
したがって、乱視を示さない眼の場合には、光源の網膜反射の画像は円形の形状である。この場合には、網膜反射の画像の幅は反射の直径に一致する。
【０１４３】
眼が実際に乱視である場合には、網膜反射の画像が楕円形の形状を示す。この場合には、最大の直径を有する楕円の軸が、絶対値において最大の屈折異常を示す眼の経線に一致する。この場合には、網膜反射の画像の幅が上記楕円形の最大直径に一致する。
【０１４４】
この幅を決定するために、電子及びコンピュータ装置は、対応する光源の網膜反射の明度（ｉｎｔｅｎｓｉｔｙ）の空間分布を決定するために各々の捕捉画像を解析する。この明度の空間分布が図８に概略的に示されている。図８の各々の曲線が、眼によって反射される光の比率に相当する。
【０１４５】
各々の曲線の水平域（ｐｌａｔｅａｕ）上に位置している点が、瞳孔の表面積全体に及ぶ反射に相当し、一方、各々の曲線のスロープ上に位置している点が、図３と図５とに示されているような眼の瞳孔内の目視可能な端縁を有する反射に相当する。明度の空間分布が、説明文においてジオプターで表現されている屈折異常Ｄの異なる値に関して、この図に示されている。
【０１４６】
この例では、明度の空間分布は、光源の反射によって照明される瞳孔の面積のパーセンテージに等しい。
【０１４７】
このパーセンテージを決定するために、電子及びコンピュータ装置は、眼の瞳孔の形状と、光源の反射によって照明されている眼の瞳孔の画像の区域と、個人の眼の瞳孔の暗帯（ｄａｒｋ  ｚｏｎｅ）との間の境界又は限界の位置とを決定する。このパーセンテージは、上述したように、眼の瞳孔の形状が正確に分かっている時に、向上した精度で決定される。
【０１４８】
その次に、電子及びコンピュータ装置は、例えば明度の空間分布の半分の高さにおける幅（すなわち、半値全幅）に等しいものとして、各々の明度分布に対応する網膜反射の直径を決定する。
【０１４９】
網膜反射の形状が楕円形である場合、電子及びコンピュータ装置は、その楕円の長軸に沿った明度の空間分布を決定し、それから網膜反射の幅を推定する。
【０１５０】
実際には、眼の実際の品質と光源の寸法とが、捕捉画像上に観察される明度の空間分布の変化を生じさせるだろうし、特に、上記分布を拡大するだろう。電子及びコンピュータ装置が、特に校正段階によって、こうした変化の矯正を行うようにプログラムされることが有利だろう。この校正段階は、例えば、当業者に公知である仕方で、既知の収差を表す人工の眼の補助によって行われるだろう。
【０１５１】
電子及びコンピュータ装置が、その空間分布の一部分を各々が示す、複数の捕捉画像からの反射の明度の空間分布を再構成することが有利であり、各捕捉画像が分布の一部を示す。特に、一連の捕捉画像が、完全に視覚化されるように且つ光源の網膜反射の明度の完全な空間分布を得るように、光源の網膜反射の画像の移動が追跡されることを可能にするように講じられてもよい。
【０１５２】
したがって、電子及びコンピュータ装置は網膜反射の画像の幅を非常に正確に決定する。
【０１５３】
光源の網膜反射の画像の幅Ｌが次の関係を満たし、
Ｌ＝Ｅ×（−２×Ｄ×ＤＰＲ＋ＤＰＲ／ＤＳＲ−１）
前式中で、
Ｅは、想定されている個人の眼の瞳孔の直径であり、
ＤＰＲは、画像捕捉装置の瞳と個人の眼の網膜との間の距離であり、
ＤＳＲは、光源と個人の眼の網膜との間の距離であり、
Ｄは、ジオプター単位での眼の屈折異常の値である。
【０１５４】
したがって、屈折異常の値Ｄは、次の式を使用して計算できる。
Ｄ＝（Ｌ／Ｅ−ＤＰＲ／ＤＳＲ＋１）／（−２ＤＰＲ）
【０１５５】
個人の眼の瞳孔の直径は、電子及びコンピュータ装置の中に計算パラメータとしてユーザによって入力されてもよいし、又は、例えば視線追跡法の上述の画像処理を行うことによって捕捉画像から測定されてもよい。
【０１５６】
第１の選択肢では、ユーザは、瞳孔のサイズに関する予め規定された平均値を入力する。第２の選択肢では、画像処理用の電子システムが、一連の記録画像の中の少なくとも１つの画像における個人の少なくとも片方の眼の瞳孔を識別し、その直径を測定する。この直径から、この電子システムは、このように測定された直径に換算係数（ｓｃａｌｅ  ｆａｃｔｏｒ）を乗算することによって、瞳孔の実際のサイズを推定する。この換算係数は、例えば、国際公開第２００８／１３２３５６号に説明されているような位置識別システム及びその方法を使用することによって決定される。
【０１５７】
画像捕捉装置の瞳と個人の眼の網膜との間の距離ＤＰＲが、段階ｃ）で測定された姿勢パラメータから決定される。これらの姿勢パラメータは、特に、個人の眼ＯＤ、ＯＧ各々の回転中心と画像捕捉装置との間の距離ＤＤ、ＤＧを含む。
【０１５８】
眼の網膜と眼の回転中心との間の距離が約１１ｍｍに等しいので、画像捕捉装置の瞳と個人の眼の網膜との間の距離ＤＰＲは、個人の眼ＯＤ、ＯＧの回転中心と画像捕捉装置との間の距離ＤＤ、ＤＧに１１ｍｍの距離を加えた距離に等しい。
【０１５９】
光源と個人の眼の網膜との間の距離ＤＳＲが、画像捕捉装置の瞳と個人の眼の網膜との間の距離ＤＰＲと、画像捕捉装置の瞳に対する、画像が捕捉されていた最中に点灯させられていた光源の既知の位置とから、電子及びコンピュータ装置によって計算される。
【０１６０】
この説明されている例では、距離ＤＰＲと距離ＤＳＲとが非常に類似しており、第１の近似値では、これらは等しいと見なされるだろう。
【０１６１】
こうして、屈折異常の値、すなわち、眼の球面屈折力又は円柱屈折力が、上記の式を使用して計算される。
【０１６２】
本発明の方法の実施を促進するために、点灯されている光源の網膜反射のサイズ及び形状に関する情報を可能な限り多く与える、すなわち、網膜反射の端縁を可能な限り明瞭に視覚化することを可能にする、個人の眼の画像捕捉を行うことが有利である。
【０１６３】
例えば、第１の組の画像の捕捉が、画像捕捉装置１０の瞳１１の最も近くに配置されているＬＥＤから始めてそれから漸進的に離れる形で移動する形で、画像捕捉装置１０の瞳１１の両側に配置されている一連の交互のＬＥＤのうち、単一の整列方向に配置されているＬＥＤを連続的に点灯させることによって行われる。例えば、同じ側の連続的に点灯させられる２つのＬＥＤの間のステップサイズ（ｓｔｅｐ−ｓｉｚｅ）が、検討されている整列方向に一致するＬＥＤすべてによって迅速に走査するために、各々の反復毎に２倍にされてもよい。
【０１６４】
その後、反射の明度が平均的にその反射の最大明度の５０％と９０％に等しいＬＥＤだけを点灯させることによって、後続の画像捕捉が行われる。反射の明度がその反射の最大明度の５０％に等しい時には、反射の端縁、すなわち、その反射によって照明されている眼の瞳孔の区域と照明されていない眼の瞳孔の区域との間の境界又は限界が、眼の瞳孔を２つの等面積の区域に分割する。これは、画像捕捉装置の瞳の両側において整列させられている４つのＬＥＤを点灯させることに相当する。
【０１６５】
したがって、その反射の幅がより正確に決定されることが可能である。
【０１６６】
眼の乱視を決定するために、電子及びコンピュータ装置は、反射の形状を解析し、その反射の明度の空間分布を決定し、ひいては、眼の異なる経線に沿って、例えば任意に選択され且つ０度、４５度、９０度の角度で互いに対して配置されている３つの経線に沿って、屈折異常の値を決定する。
【０１６７】
その後、電子及びコンピュータ装置は、屈折異常に関する最小値と最大値とに相当する眼の経線に沿った他の測定を行い、すなわち、楕円の最小直径と最大直径とを決定する。楕円の直径がその楕円の長軸の周りと短軸の周りとではわずかにしか変化しないので、電子及びコンピュータ装置は、この決定から、２つの対応する直径に沿った屈折異常に関する正確な値を推定する。
【０１６８】
最後に、電子及びコンピュータ装置は、その楕円の長軸のどちらか一方の側で４５度においてその楕円の直径を決定する。その楕円の直径の値が、長軸に対して４５度の角度に位置している軸線の周りで急激に変化するので、この測定は乱視の軸線を正確に決定することに役立つ。したがって、乱視が非常に正確に決定される。
【０１６９】
上記では、個人は矯正眼鏡レンズを含む眼鏡フレームを着用していない。したがって、得られる屈折特性の値が、個人自体の眼に対応する値である。一変形例では、例えば既知の屈折力と偏角とを有する眼鏡レンズを含む視力矯正機器をオペレータが上記個人の顔の上に置くことを想定することが可能である。
【０１７０】
こうした状況では、電子及びコンピュータ装置は、捕捉画像を表す信号、及び／又は、視力矯正機器の屈折力と偏角との関数として上記信号から推定される屈折特性を矯正するようにプログラムされる。
【０１７１】
例えば、特定の屈折力の視力矯正球面レンズという単純な状況では、それは、上述の方法によって決定される屈折異常の値にその屈折力を加えることに等しい。この２つの値の合計が、個人の眼の屈折特性を与える。
【０１７２】
その次に、個人の眼の過剰矯正又は矯正不足を決定するために、本発明の方法を再度適用することも可能である。
【０１７３】
当然であるが、個人は、視力矯正レンズを含まない眼鏡フレームを着用していてもよい。このようなフレームは、例えば個人の頭部の１つ又は複数の姿勢パラメータを決定するために使用される位置識別システムのための支持体の役割を果たす。
【０１７４】
画像捕捉装置の参照枠内の個人の注視方向が、画像が捕捉されている間は同一のままであることが好ましい。このために、電子及びコンピュータ装置は、個人の眼が２つの画像捕捉の間にわずかしか動かないように、例えば１００ｍｓの間隔で、非常に短い間隔で画像捕捉を起動する。
【０１７５】
本発明は、あらゆる態様において上述の実施形態に限定されるものではなく、当業者は、本発明の着想にしたがって上記の実施形態にどのように変更を加えるかを理解する。
【０１７６】
特に、測定装置は、変形例において、少なくとも１つの超音波発信器と少なくとも１つの超音波受信器とを備える超音波測定装置を含むことがあり、又は個人の頭部に関係する姿勢パラメータを測定するための電磁センサを有する測定装置を含むことがある。
【０１７７】
一変形例では、段階ｅ’）において、上記少なくとも１つの捕捉画像が、光源２０の網膜反射の画像ＩＲＯＤ１、ＩＲＯＧ１、ＩＲＯＤ２、ＩＲＯＧ２の輝度の分布を決定するために使用され、個人の眼ＯＤ、ＯＧの上記屈折特性Ｄは、この輝度の分布の関数として決定される。
【０１７８】
その次に、この屈折特性は、１９９７年に、「Ｏｐｔｏｍｅｔｒｙ  ａｎｄ  Ｖｉｓｉｏｎ  Ｓｃｉｅｎｃｅ」Ｖｏｌ．１７４、ｐｐ．４７２−４８２において発表された論文に説明されている写真屈折検査法のような従来の写真屈折検査法によって決定される。眼の屈折特性、この場合には屈折異常の符号及び／又はその屈折異常の値は、反射の画像の輝度の分布から決定される。これは、従来の校正段階を使用して実現される。
【０１７９】
網膜検影法によって屈折特性を計算する方法に関して説明した様々な具体例とその変形例が、同様の態様において、写真屈折検査法の屈折特性を計算する方法を使用する方法に適用する。
【０１８０】
例えば、上記画像捕捉段階中に、個人の両眼の網膜上の上記光源の網膜反射の少なくとも２つの画像を捕捉し、個人の２つの眼の一方の眼の上記屈折特性を一つの画像から決定し、且つ、個人の他方の眼の屈折特性を他方の画像から決定することによって、本発明の方法を実施することを想定することが可能である。
【０１８１】
別の変形例では、本発明の方法は、次の段階を実行することによって行われる心理物理的な試験を含む。
ｒ）画像の空間周波数をフィルタリングするための特定のカットオフの周波数フィルタによるローパスフィルタリングに相当する不鮮明性を示す画像を個人の眼の前方に表示する段階と、
ｔ）段階ｓ）で行われた心理物理的試験の結果に関連して決定された屈折特性と、段階ｒ）で使用されたローパスフィルタのカットオフ周波数の値とを記憶装置内に記憶する段階と、
ｕ）画像フィルタの異なるカットオフ周波数に関して、屈折特性を決定するための画像捕捉段階と段階ｒ）と段階ｔ）と共に、少なくとも段階ｂ）及び段階ｃ）を繰り返す段階。
【０１８２】
心理物理的試験が、さらに、画像の不鮮明性の個人による認知を特徴付ける段階ｓ）も含み、段階ｕ）において、この試験の結果が、さらに、対応するフィルタのカットオフ周波数に関連して記憶装置内に記憶されることが好ましい。
【０１８３】
このために、測定装置１００は、表示装置で不鮮明性を表す画像を生成する手段と、画像を表示するための装置とを含む。例えば、この表示手段は、上述の装置のハウジング内に組み込まれているスクリーンによって構成されており、且つ、上記不鮮明画像を表示するようになっている。
【０１８４】
例えば、この不鮮明画像は電子及びコンピュータ装置によって生成される。この不鮮明画像は、例えば英数字文字を表す画像のような鮮明な画像の空間周波数の一部分を空間的にフィルタリングすることによって得られる。電子及びコンピュータ装置は、予め規定されたカットオフ周波数を有するローパスフィルタをその鮮明な画像に対してデジタル的に適用することによって不鮮明画像を決定する。
【０１８５】
さらに、スクリーン表示信号のアナログ的なフィルタリングによって不鮮明画像が得られることを想定することも可能である。
【０１８６】
一般的に、不鮮明画像は、一変形例では、特に不鮮明画像が得られることを可能にする任意の画像処理によって、当業者に公知の任意の方法によって得られるだろう。
【０１８７】
鮮明な画像が複数の異なる空間周波数成分に細分化されてもよい。
【０１８８】
フィルタリング中は、高い空間周波数を示す成分の振幅が減衰させられる。したがって、画像上に表示された英数字文字の輪郭が拡散するように見える。
【０１８９】
使用されるローパスフィルタは、その閾値よりも高い画像の空間周波数が、その閾値よりも低い画像の空間周波数よりもより大きく減衰させられる閾値に相当するカットオフ周波数によって特徴付けられる。したがって、このカットオフ周波数は、識別されることが可能な不鮮明画像の２つの詳細部分の間の最小距離に相当する。
【０１９０】
この不鮮明画像はリアルタイムで計算されてもよく、又は、電子及びコンピュータ装置内の画像ライブラリ内に記録されていてもよい。
【０１９１】
電子及びコンピュータ装置は、計算された不鮮明画像を表示することをスクリーンに生じさせるためにスクリーンと通信する。
【０１９２】
不鮮明画像の認知を特徴付ける段階ｓ）は、例えば、個人に対して、表示画像の不鮮明性のこの個人の認知に関する個別的な質問を問うことにある。例えば、問われる質問は、個人が画像における不鮮明性を検出するか否かを判定すること、及び、不鮮明性の結果として個人によって感じられる困難性を評価すること、及び／又は、不鮮明画像によって表されている英数字文字における可読性の損失を評価することを決定するだろう。
【０１９３】
問われた質問に対する個人の回答が、表示画像の不鮮明性の度合いに関する不鮮明性の個人の認知を特徴付ける。この回答は、段階ｒ）で使用されたローパスフィルタのカットオフ周波数の値と共に、決定された屈折特性に関連して電子及びコンピュータ装置の記憶装置内に記憶される。
【０１９４】
これに加えて、本発明による方法では、少なくとも段階ｂ）及び段階ｃ）が、屈折特性を決定するための画像捕捉段階と、画像フィルタに関する異なるカットオフ周波数における段階ｒ）から段階ｔ）と共に、繰り返される。
【０１９５】
その次に、画像の不鮮明性の度合いが変化するのに応じて、不鮮明性の認知がどのように変化するか、及び、個人の眼の屈折特性がどのように変化するのかということを決定することが可能であることが有利である。
【０１９６】
両眼の屈折特性が少なくとも１つの画像（例えば単一のグループの画像）から決定される本発明の一実施形態が、詳細に上述されている。
【０１９７】
変形例では、
上記画像捕捉段階中に、少なくとも２つの画像が捕捉され、この各々の画像は、個人の両眼の網膜上の上記光源の２つの網膜反射の画像を含み、
これら２つの画像の一方に基づいて、個人の２つの眼の一方の眼の上記屈折特性が決定され、他方の画像に基づいて、個人の眼の他方の眼の屈折特性が決定される
ことを想定することが可能である。
【０１９８】
例えば、１つのグループの画像が捕捉されることと、一方の眼の屈折特性を決定するためにこれらの画像の幾つかが処理され、他方の眼の屈折特性を決定するためにこれらの画像の残りが処理されることを想定することが可能である。本発明の方法の残り部分は不変のままである。
【０１９９】
こうした状況において、各々の眼に関して処理画像の選択を精緻なものにすることが可能であり、このことは、例えば、反射の明度がその反射の最大明度の５０％と９０％とに平均的に等しい捕捉画像を各々の眼に関して明確に選択することを可能にする。
【０２００】
これは、特に２つの眼が互いに非常に異なる度合いの屈折異常を示す場合に有用である。
【図１】
0005869489.tif 000002
【図２】
0005869489.tif 000003
【図３】
0005869489.tif 000004
【図４】
0005869489.tif 000005
【図５】
0005869489.tif 000006
【図６】
0005869489.tif 000007
【図７】
0005869489.tif 000008
【図８】
0005869489.tif 000009